(57)【特許請求の範囲】
【請求項１】
番組を提供する放送局毎に付与されるメジャーチャンネル、及び放送局が提供する番組毎に付与されるサブチャンネルの各番組を受信すべく走査し、走査して受信した番組を提供するメジャーチャンネル及びサブチャンネルを、番組を受信することが可能なチャンネルとして登録し、登録したチャンネルによりそれぞれ番組を受信し表示するディジタル放送用受信機において、
メジャーチャンネルを選択する第１の手段と、該第１の手段が選択したメジャーチャンネルに関連するサブチャンネルの各番組を受信すべく走査する第２の手段と、該第２の手段が走査し受信した番組を提供するサブチャンネルを、番組を受信することが可能なチャンネルとして登録する第３の手段とを備え、該第３の手段が登録したチャンネルによりそれぞれ番組を受信し表示すべくなしてあることを特徴とするディジタル放送用受信機。
【請求項２】
前記第３の手段は、前記第２の手段が走査し受信した番組を提供するサブチャンネルのうち、番組を受信することが可能なチャンネルとして登録されていないサブチャンネルを、番組を受信することが可能なチャンネルとして登録することを特徴とする請求項１に記載のディジタル放送用受信機。
【発明の詳細な説明】
【０００１】
【発明の属する技術分野】
本発明は、番組を提供する放送局毎に付与されるメジャーチャンネル、及びメジャーチャンネルに係る放送局が提供する番組毎に付与されるサブチャンネルによりそれぞれ番組を受信し表示するディジタル放送用受信機に関するものである。
【０００２】
【従来の技術】
近年、通信衛星を利用した数十チャンネル（例えば、６０チャンネル）のディジタル多重放送が行われている。例えば、ＡＴＳＣ（Advanced Television System Committee）放送では、放送局毎に付与されるメジャーチャンネル及びそのメジャーチャンネルの中で、多重放送される番組に割り当てられるサブチャンネルが用意され、ユーザはこれら多数のチャンネルにより放送される番組から好みの番組を選択して視聴することが出来る。
【０００３】
番組が放送されているメジャーチャンネル及びサブチャンネルは地域（受信エリア）によって異なる為、ユーザはディジタル放送用受信機をその地域で初めて使用するようなときには、メジャーチャンネル及びサブチャンネルが存在し得る周波数帯について、一括してスキャン（走査）を行わせ、番組が放送されているか否かを判定させ、番組が放送されているチャンネルについては、番組を受信することが可能となるように登録させる必要がある。
【０００４】
【発明が解決しようとする課題】
上述したメジャーチャンネルについては、従来同様、放送時間帯は深夜及び早朝を除き連続しているが、サブチャンネルについては、放送時間帯が連続しておらず、深夜及び早朝でなくても時刻によっては、番組が放送されていないことがある。
【０００５】
その為、ディジタル放送用受信機が上述したスキャンを行っても、例えば、その地域で番組を受信することが可能なチャンネル群の一部として、図３（ａ）に示すように、１．０ｃｈ，３．２ｃｈ，３．３ｃｈ，４．２ｃｈがある場合に、そのスキャン時に３．２ｃｈで番組が放送されていなければ、番組を受信することが可能なチャンネルとして登録されるのは、図３（ｂ）に示すように、１．０ｃｈ，３．３ｃｈ，４．２ｃｈであり、３．２ｃｈは登録されない。
【０００６】
図３（ｄ）に示すように、１．０ｃｈ，３．２ｃｈ，３．３ｃｈ，４．２ｃｈ全てが登録されるには、図３（ｃ）に示すように、１．０ｃｈ，３．２ｃｈ，３．３ｃｈ，４．２ｃｈ全てで番組が放送されているときに、スキャンを実行させなければならない。従って、サブチャンネルが提供する番組を受信したいときには、スキャンを実行しなければならないときがあるが、数十のメジャーチャンネル及びサブチャンネルについてスキャンするのは、時間が掛かり過ぎるという問題がある。
【０００７】
チャンネル設定に関する技術としては、所定数設けられたポジションに対応するチャンネルデータが地域毎に記憶された地域別チャンネルデータメモリと、地域を示すコードを入力する地域コード入力手段と、地域コード入力手段からのコードが示す地域におけるチャンネルデータを地域別チャンネルデータメモリから読出させ、選局用チャンネルデータメモリに記憶させる制御回路とを備えた受信チャンネルオートプリセット装置が、特開平５−２５９８１９号公報に開示されている。
本発明は、上述したような事情に鑑みてなされたものであり、番組を受信したいサブチャンネルを、簡単に短時間で、番組を受信することが可能なチャンネルとして登録することができるディジタル放送用受信機を提供することを目的とする。
【０００８】
【課題を解決するための手段】
本発明に係るディジタル放送用受信機は、番組を提供する放送局毎に付与されるメジャーチャンネル、及び放送局が提供する番組毎に付与されるサブチャンネルの各番組を受信すべく走査し、走査して受信した番組を提供するメジャーチャンネル及びサブチャンネルを、番組を受信することが可能なチャンネルとして登録し、登録したチャンネルによりそれぞれ番組を受信し表示するディジタル放送用受信機において、メジャーチャンネルを選択する手段と、該手段が選択したメジャーチャンネルに関連するサブチャンネルの各番組を受信すべく走査する手段と、該手段が走査し受信した番組を提供するサブチャンネルを、番組を受信することが可能なチャンネルとして登録する手段とを備え、該手段が登録したチャンネルによりそれぞれ番組を受信し表示すべくなしてあることを特徴とする。
【０００９】
本発明に係るディジタル放送用受信機では、番組を提供する放送局毎に付与されるメジャーチャンネル、及び放送局が提供する番組毎に付与されるサブチャンネルの各番組を受信すべく走査し、走査して受信した番組を提供するメジャーチャンネル及びサブチャンネルを、番組を受信することが可能なチャンネルとして登録し、登録したチャンネルによりそれぞれ番組を受信し表示する。
【００１０】
選択する手段がメジャーチャンネルを選択し、走査する手段が、選択する手段が選択したメジャーチャンネルに関連するサブチャンネルの各番組を受信すべく走査する。登録する手段は、走査する手段が走査し受信した番組を提供するサブチャンネルを、番組を受信することが可能なチャンネルとして登録し、登録する手段が登録したチャンネルによりそれぞれ番組を受信し表示する。
これにより、番組を受信したいサブチャンネルを、簡単に短時間で、番組を受信することが可能なチャンネルとして登録することができるディジタル放送用受信機を実現することができる。
【００１１】
【発明の実施の形態】
以下に、本発明をその実施の形態を示す図面に基づいて説明する。
図１は、本発明に係るディジタル放送用受信機の実施の形態の構成を示すブロック図である。このディジタル放送用受信機Ｄは、操作部４により電源のオン／オフ、チャンネルの選局等各種操作が行われ、それらの操作に応じた信号がＭＰＵ１へ出力される。操作部４は、選局可能なメジャーチャンネル及びサブチャンネルを一括してスキャンし登録する為のオートスキャン釦４ａと、選択されたメジャーチャンネルの中で選局可能なサブチャンネルをスキャンし登録する為のサブチャンネルスキャン釦４ｂとを備えている。
【００１２】
通信衛星等から送信された衛星波はアンテナ部Ａで受信され、操作部４の選局操作によりチューナ部２は受信すべきメジャーチャンネルに対応するトランスポンダの切換を行う。チューナ部２が受信したメジャーチャンネルの衛星波は、再生部５によりディジタル信号に再生され、復調部６により元のディジタル信号に復調される。
【００１３】
衛星波はＴＳ（Transport Stream）パケットにより送信される。パケットには、メジャーチャンネル及びそのメジャーチャンネルに係るサブチャンネルにより送信される映像データ、音声データ、チャンネルデータ及び番組に使用される言語（英語、スペイン語等）等のデータが含まれており、これらの各データの内、操作部４で選局されたメジャーチャンネル又はサブチャンネルにより送信された各データは、ＴＳデマルチプレクサ７により分離して出力され、メモリ７ａに一旦記憶される。
メモリ７ａに記憶された各データの内、音声データは、Ｄ／Ａ変換部８によりアナログ化された後、スピーカ等の音声出力部９へ与えられ、音声出力部９は与えられた音声データより音声を生成し出力する。
【００１４】
一方、メモリ７ａに記憶された映像データは、ＭＰＥＧ２（Motion Picture Experts Group２）デコード部１０により圧縮前の映像データに復号化された後、ＮＴＳＣエンコード部１１によりＮＴＳＣ複合テレビジョン信号に複合されて映像信号出力部１２へ与えられる。映像信号出力部１２は与えられたＮＴＳＣ複合テレビジョン信号を図示しない受像部へ出力する。
【００１５】
操作部４の選局操作により選局可能なメジャーチャンネル及びサブチャンネルは、選局データメモリ３（登録する手段）に登録されている。
上述した操作部４、ＭＰＵ１、チューナ部２、再生部５、復調部６、ＴＳデマルチプレクサ７、メモリ７ａ、Ｄ／Ａ変換部８、ＭＰＥＧ２デコード部１０、ＮＴＳＣエンコード部１１及び選局データメモリ３は、バス１６により相互に接続されている。
【００１６】
図２は、このような構成のディジタル放送用受信機Ｄの選局可能なサブチャンネルを登録する動作を示すフローチャートである。
ディジタル放送用受信機ＤのＭＰＵ１は、操作部４のサブチャンネルスキャン釦４ｂが操作され（Ｓ２）、操作部４により何れかのメジャーチャンネルが選択指定されたとき（Ｓ４）、その指定されたメジャーチャンネルの周波数帯域に多重化された放送中のサブチャンネル番組のスキャンを開始する（Ｓ６）。
【００１７】
ＭＰＵ１は、放送中のサブチャンネル番組のスキャンを実行し（Ｓ６）、放送中のサブチャンネル番組を検出（受信）したときは（Ｓ８）、その番組を提供しているサブチャンネルを、選局データメモリ３に登録して行き（Ｓ１０）、そのメジャーチャンネルの周波数帯域についてサブチャンネル番組のスキャンが終了すれば（Ｓ１２）リターンする。
【００１８】
これにより、例えば、その地域で番組を受信することが可能なチャンネル群の一部として、図３（ａ）に示すように、１．０ｃｈ，３．２ｃｈ，３．３ｃｈ，４．２ｃｈがあって、以前、スキャンしたときに、３．２ｃｈで番組が放送されておらず、図３（ｂ）に示すように、３．２ｃｈが番組を受信することが可能なチャンネルとして登録されていなかった場合でも、図３（ｃ）に示すように、３．２ｃｈで番組が放送されているときに、番組を受信したいサブチャンネル３．２ｃｈを含むメジャーチャンネル３ｃｈ内のみのスキャンを実行することにより、図３（ｄ）に示すように、３．２ｃｈを番組を受信することが可能なチャンネルとして登録することが出来る。
その結果、上述したチャンネル群の一部１．０ｃｈ，３．２ｃｈ，３．３ｃｈ，４．２ｃｈについては、全てを受信することが可能なチャンネルとして登録することが出来る。
【００１９】
ＭＰＵ１は、操作部４のサブチャンネルスキャン釦４ｂが操作されず（Ｓ２）、オートスキャン釦４ａが操作されたとき（Ｓ１４）は、選局可能なメジャーチャンネル及びサブチャンネルを一括してスキャンし登録するオートスキャンを実行し（Ｓ１６）リターンする。
【００２０】
【発明の効果】
本発明に係るディジタル放送用受信機によれば、番組を受信したいサブチャンネルを、簡単に短時間で、番組を受信することが可能なチャンネルとして登録することができるディジタル放送用受信機を実現することが出来る。
【図面の簡単な説明】
【図１】本発明に係るディジタル放送用受信機の実施の形態の構成を示すブロック図である。
【図２】本発明に係るディジタル放送用受信機の動作を示すフローチャートである。
【図３】本発明に係るディジタル放送用受信機の動作を説明する為の説明図である。
【符号の説明】
１  ＭＰＵ
２  チューナ部
３  選局データメモリ
４  操作部
４ａ  オートスキャン釦
４ｂ  サブチャンネルスキャン釦
７  ＴＳデマルチプレクサ
７ａ  メモリ
Ｄ  ディジタル放送用受信機
【図１】
0004639453.tif 000002
【図２】
0004639453.tif 000003
【図３】
0004639453.tif 000004